(57)【要約】      （修正有）【課題】収納時に破れたり変形することを低減し、製造時の工程を簡素化する。【解決手段】複数の画素が定義された表示パネル１２０と、表示パネルと重畳して配置されたバックカバー１１０ａと、バックカバー及び表示パネルを巻く（ワインディング；ｗｉｎｄｉｎｇ）または解く（アンワインディング；ｕｎｗｉｎｄｉｎｇ）ように構成されたローラ部１５１と、表示パネルとバックカバーを接着させ、ローラ部に固定される接着部１９０とを含むことができる。【選択図】図９
2020076986.tif 000002
【特許請求の範囲】
【請求項１】
複数の画素が定義された表示パネルと、
前記表示パネルと重畳して配置されたバックカバーと、
前記バックカバー及び前記表示パネルを巻き、または、解くように構成されたローラ部と、
前記表示パネルと前記バックカバーを接着させ、前記ローラ部に固定される接着部とを含む、表示装置。
【請求項２】
前記接着部は、接着基材及び前記接着基材に配置される接着層を含み、
前記接着部は、
前記接着基材の両面に前記接着層が配置されて前記バックカバー及び前記表示パネルが接着される第１領域と、
前記ローラ部に固定され、前記接着基材の少なくとも一面に前記接着層が配置された第２領域と、
前記第１領域と前記第２領域との間に前記接着基材からなる第３領域とを含む、請求項１に記載の表示装置。
【請求項３】
前記バックカバーは、前記表示パネルと重畳する第１バックカバー及び前記ローラ部に固定される第２バックカバーを含み、
前記第１バックカバーと前記第２バックカバーは、前記接着部によって連結される、請求項２に記載の表示装置。
【請求項４】
前記第２バックカバーは、前記ローラ部と締結される支持領域を含み、前記接着部の前記第２領域に接着される、請求項３に記載の表示装置。
【請求項５】
前記第２バックカバーは、前記支持領域から前記第１バックカバー側に延長する延性領域をさらに含む、請求項４に記載の表示装置。
【請求項６】
前記ローラ部は、平面及び曲面を有するローラをさらに含み、
前記第１バックカバーと前記第２バックカバーとの間の距離は、前記ローラの平面の長さと同一であるか長い、請求項３に記載の表示装置。
【請求項７】
前記第３領域に位置し、複数の固定突起を含むベースプレートと、
曲面状の外周面を有し、前記第３領域に配置されるトップカバーと、
前記ベースプレートと前記トップカバーとの間に配置されるボトムカバーとをさらに含み、
前記複数の固定突起は、前記ボトムカバー及び前記トップカバーを貫通して前記ボトムカバー及び前記トップカバーを固定する、請求項２に記載の表示装置。
【請求項８】
前記トップカバーと前記ベースプレートを貫通する前記固定突起と締結される固定部材をさらに含む、請求項７に記載の表示装置。
【請求項９】
外周面が曲面状である複数の突出部を含むボトムカバーをさらに含み、
前記第２領域は、前記接着基材の両面に前記接着層が配置され、
前記ボトムカバーは、前記第２領域に接着される、請求項２に記載の表示装置。
【請求項１０】
前記ボトムカバーを前記ローラ部に固定する複数の結合部材をさらに含み、
前記ボトムカバーは、前記複数の突出部のそれぞれに挿入孔が配置され、前記複数の結合部材が前記挿入孔を貫通して前記ローラ部と締結される、請求項９に記載の表示装置。
【請求項１１】
前記接着部は、前記ローラ部が巻く時に前記ボトムカバーの前記複数の突出部が貫通する貫通孔をさらに含む、請求項１０に記載の表示装置。
【請求項１２】
前記表示パネルと連結された複数のフレキシブルフィルムと、
前記複数のフレキシブルフィルムと連結された印刷回路基板とをさらに含み、
前記複数のフレキシブルフィルム及び前記印刷回路基板は、前記ローラ部が巻く時に前記ボトムカバー上に乗る、請求項１１に記載の表示装置。
【請求項１３】
前記ローラ部は、前記第２領域に直接接着される、請求項９に記載の表示装置。
【請求項１４】
映像を表示するための表示パネルと、
前記表示パネルの下に配置されたバックカバーと、
前記表示パネルと前記バックカバーとの間に配置されて前記表示パネルと前記バックカバーに付着した接着部と、
前記表示パネルと電気的に連結され、前記表示パネルが解けた状態で前記バックカバー及び前記接着部のうち前記接着部に重畳する印刷回路基板とを含む、表示装置。
【請求項１５】
前記バックカバー及び前記表示パネルを巻く、または、解くように構成されたローラ部をさらに含み、
前記ローラ部は、平面及び曲面を有し、前記接着部に固定されるローラを含む、請求項１４に記載の表示装置。
【請求項１６】
前記ローラ部に固定されるボトムカバーをさらに含み、
前記ボトムカバーは、外周面が曲面状である複数の突出部及び前記複数の突出部のそれぞれに配置される挿入孔を含む、請求項１５に記載の表示装置。
【請求項１７】
前記接着部は、前記ローラ部が巻く時に前記ボトムカバーの前記複数の突出部が貫通する貫通孔をさらに含む、請求項１６に記載の表示装置。
【請求項１８】
前記バックカバーは、第１バックカバー及び第２バックカバーを含み、
前記第１バックカバーと前記第２バックカバーは、前記接着部によって連結され、
前記接着部の接着層は、前記第１バックカバー及び前記第２バックカバーと重畳し、
前記接着部の接着基材は、前記第１バックカバー及び前記第２バックカバーと重畳し、前記第１バックカバーと前記第２バックカバーとの間にも配置される、請求項１５に記載の表示装置。
【請求項１９】
前記第１バックカバーと第２バックカバーとの間に配置されるベースプレートと、
曲面状の外周面を有し、前記ベースプレートの上側に配置されて前記ベースプレートと締結されるトップカバーと、
前記ベースプレートと前記トップカバーとの間に配置されるボトムカバーとをさらに含む、請求項１８に記載の表示装置。
【請求項２０】
前記第２バックカバーは、前記ローラと前記接着部との間に配置される、請求項１８に記載の表示装置。
【発明の詳細な説明】
【技術分野】
【０００１】
本発明は、表示装置に関し、さらに詳しくは、大型サイズで実現可能であり、信頼性が改善されたローラブル（ｒｏｌｌａｂｌｅ）表示装置に関する。
【背景技術】
【０００２】
コンピュータのモニターやＴＶ、携帯電話などに使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）などと別途の光源を要する液晶表示装置（Ｌｉｑｕｉｄ  Ｃｒｙｓｔａｌ  Ｄｉｓｐｌａｙ；ＬＣＤ）などがある。
【０００３】
表示装置は、コンピュータのモニター及びＴＶだけでなく、個人携帯機器までその適用範囲が多様になっており、広い表示面積を有しつつも減少された体積及び重さを持つ表示装置に対する研究が進行されている。
【０００４】
また、最近では、フレキシブル（ｆｌｅｘｉｂｌｅ）素材であるプラスチックなどのように柔延性のある基板に表示部、配線などを形成し、くるくる巻いても画像表示可能に製造されるローラブル表示装置が次世代表示装置として注目されている。
【発明の概要】
【０００５】
本発明では、複数のバックカバーを使用して大型化された大きさを有する表示装置を提供する。
【０００６】
本発明では、他に、巻く（ワインディング；ｗｉｎｄｉｎｇ）時に最大の応力を受ける部分にバックカバーを配置しないようにして、ローラの形状によってバックカバーが破れたり変形することを低減することができる表示装置を提供する。
【０００７】
本発明では、さらに他に、ローラを接着部に固定して、表示装置の製造時に工程を簡素化することができる表示装置を提供する。
【０００８】
本発明の課題は、以上で言及したものに制限されず、言及されなかったまた他の課題は、下記の記載から当業者に明確に理解できるであろう。
【０００９】
本発明の一実施例による表示装置は、複数の画素が定義された表示パネルと、表示パネルと重畳して配置されたバックカバーと、バックカバー及び表示パネルを巻く（ワインディング；ｗｉｎｄｉｎｇ）または解く（アンワインディング；ｕｎｗｉｎｄｉｎｇ）ように構成されたローラ部と、表示パネルとバックカバーを接着させ、ローラ部に固定される接着部とを含むことができる。
【００１０】
本発明の他の実施例による表示装置は、映像を表示するための表示パネルと、表示パネルの下に配置されたバックカバーと、表示パネルとバックカバーとの間に配置されて表示パネルとバックカバーに付着した接着部と、表示パネルと電気的に連結され、表示パネルが完全に解けた（フルアンワインディング；ｆｕｌｌ  ｕｎｗｉｎｄｉｎｇ）状態でバックカバー及び接着部のうち接着部に重畳する印刷回路基板とを含むことができる。
【００１１】
その他の実施例の具体的な事項は、詳細な説明及び図面に含まれている。
【００１２】
本発明では、バックカバーを互いに離隔した第１バックカバーと第２バックカバーとで構成して、表示パネルの大きさが大型化されても対応する大きさのバックカバーの製造が可能である。
【００１３】
本発明では、表示装置のワインディングまたはアンワインディング時にバックカバー及び表示パネルがローラによって損傷されることを最小化することができる。
【００１４】
本発明による効果は、以上で例示された内容によって制限されず、さらに多様な効果が本発明内に含まれている。
【図面の簡単な説明】
【００１５】
【図１ａ】本発明の一実施例による表示装置の斜視図である。
【図１ｂ】本発明の一実施例による表示装置の斜視図である。
【図２】本発明の一実施例による表示装置の分解斜視図である。
【図３】本発明の一実施例による表示装置のヘッドバー及び表示部を説明するための概略的な断面図である。
【図４】本発明の一実施例による表示装置の断面図である。
【図５】本発明の一実施例による表示装置の分解斜視図である。
【図６】本発明の一実施例による表示装置の表示部の平面図である。
【図７】本発明の一実施例による表示装置の表示部の断面図である。
【図８ａ】本発明の一実施例による表示装置のバックカバーの断面図である。
【図８ｂ】図８ａのＡ領域の拡大図である。
【図９】本発明の一実施例による表示装置の締結構造を説明するための断面図である。
【図１０】本発明の他の実施例による表示装置の締結構造を説明するための断面図である。
【図１１】本発明の他の実施例による表示装置の斜視図である。
【図１２】本発明の他の実施例による表示装置の接着層の平面図である。
【図１３】本発明の他の実施例による表示装置の斜視図である。
【図１４】本発明のまた他の実施例による表示装置の斜視図である。
【発明を実施するための形態】
【００１６】
本発明の利点及び特徴、そして、これらを達成する方法は、添付の図面と共に詳しく後述されている実施例を参照すれば明確になるであろう。しかし、本発明は、以下で開示される実施例に制限されるものではなく、互いに異なる多様な形状で実現されることができ、但し、本実施例は本発明の開示を完全にして、本発明が属する技術分野で通常の知識を持った者に発明の範疇を完全に知らせるために提供されるものであり、本発明は請求項の範疇によって定義されるだけである。
【００１７】
本発明の実施例を説明するための図面に開示された形状、面積、割合、角度、個数などは、例示的であるので、本発明が図示された事項に制限されるものではない。明細書全体にわたって同一の参照符号は同一の構成要素を指称する。また、本発明を説明するにあたって、関連の公知技術に対する具体的な説明が本発明の要旨を不要に曖昧にすると判断される場合、その詳しい説明は省略する。本発明上で言及された「含む」、「持つ」、「なる」などが使用される場合、「〜のみ」が使用されない限り、他の部分が追加されることができる。構成要素を単数で表現した場合に、特に明示的な記載事項がない限り、複数を含む場合を含む。
【００１８】
構成要素を解釈するにあたって、別途の明示的記載がなくても誤差範囲を含むと解釈する。
【００１９】
位置関係に対する説明の場合、例えば、「〜上に」、「〜上部に」、「〜下部に」、「〜横に」などと二つの部分の位置関係が説明される場合、「直」または「直接」が使用されない限り、二つの部分の間に一つ以上の他の部分が位置することもできる。
【００２０】
素子または層が他の素子または層「上（ｏｎ）」と指称されることは、他の素子直上に、または中間に他の層または他の素子を介在した場合を全て含む。
【００２１】
また、第１、第２などが多様な構成要素を述べるために使用されるが、これらの構成要素はこれらの用語によって制限されない。これらの用語は、単に一つの構成要素を他の構成要素と区別するために使用するものである。従って、以下で言及される第１構成要素は、本発明の技術的思想内で第２構成要素であることもできる。
【００２２】
明細書全体にわたって、同一の参照符号は同一の構成要素を指称する。
図面で表れた各構成の面積及び厚さは、説明の便宜のために図示されたものであり、本発明が図示された構成の面積及び厚さに必ずしも限定されるものではない。
【００２３】
本発明の様々な実施例のそれぞれの特徴が部分的にまたは全体的に互いに結合または組み合わせ可能であり、技術的に多様な連動及び駆動が可能で、各実施例が互いに対して独立して実施してもよく、連関関係で共に実施してもよい。
以下では、添付の図面を参照して本発明の多様な実施例を詳しく説明する。
【００２４】
＜表示装置−ローラブル表示装置＞
ローラブル表示装置は、くるくる巻いても画像表示が可能な表示装置と指称されることができる。ローラブル表示装置は、従来の一般的な表示装置と比べて高いフレキシビリティを有することができる。ローラブル表示装置の使用有無によって、ローラブル表示装置は形状が自由に変更されることができる。具体的に、ローラブル表示装置を使用しない時、ローラブル表示装置をくるくる巻いて体積を減少させて保管することができる。反対に、ローラブル表示装置を使用する時、くるくる巻かれたローラブル表示装置を再び広げて使用することができる。
【００２５】
図１ａ及び図１ｂは、本発明の一実施例による表示装置の斜視図である。
図１ａ及び図１ｂを参照すると、本発明の一実施例による表示装置１００は、表示部ＤＰ及びハウジング部ＨＰを含む。
表示部ＤＰは、使用者に映像を表示するための構成で、例えば、表示素子と表示素子を駆動するための回路、配線及び部品などが配置されることができる。この時、本発明の一実施例による表示装置１００は、ローラブル表示装置１００であるので、表示部ＤＰは、ワインディング及びアンワインディング可能に構成されることができる。例えば、表示部ＤＰは、ワインディングまたはアンワインディング可能にフレキシビリティ（ｆｌｅｘｉｂｉｌｉｔｙ）を持つ表示パネル及びバックカバーからなることができる。表示部ＤＰに対するさらに詳しい説明は、図５〜図７を参照して後述する。
【００２６】
ハウジング部ＨＰは、表示部ＤＰが収納可能なケースである。表示部ＤＰは、ワインディングされてハウジング部ＨＰの内部に収納されることができ、表示部ＤＰは、アンワインディングされてハウジング部ＨＰの外部に配置されることができる。
【００２７】
ハウジング部ＨＰは、表示部ＤＰがハウジング部ＨＰの内部及び外部に移動可能に開口部ＨＰＯが配置される。表示部ＤＰは、ハウジング部ＨＰの開口部ＨＰＯを通過して上下方向に移動することができる。
【００２８】
一方、表示装置１００の表示部ＤＰは、完全に解けた（フルアンワインディングされた）状態から完全に巻いた（フルワインディングされた）状態に、またはフルワインディングされた状態からフルアンワインディングされた状態に切り替えられる。
【００２９】
図１ａでは、表示装置１００の表示部ＤＰがフルアンワインディングされた状態を図示し、フルアンワインディングされた状態は、表示装置１００の表示部ＤＰがハウジング部ＨＰの外部に配置された状態である。即ち、使用者が表示装置１００を通じて映像を視聴するために、表示部ＤＰがアンワインディングされてハウジング部ＨＰの外部に最大限配置され、これ以上アンワインディングできない状態をフルアンワインディングされた状態と定義することができる。
【００３０】
図１ｂでは、表示装置１００の表示部ＤＰがフルワインディングされた状態を図示し、フルワインディングされた状態は、表示装置１００の表示部ＤＰがハウジング部ＨＰの内部に収納され、これ以上ワインディングすることができない状態である。即ち、使用者が表示装置１００を通じて映像を視聴しない場合は、表示部ＤＰがハウジング部ＨＰの外部に配置されないことが外観の側面で有利であるので、表示部ＤＰがワインディングされてハウジング部ＨＰの内部に収納された状態をフルワインディングされた状態と定義することができる。また、表示部ＤＰがハウジング部ＨＰの内部に収納されたフルワインディングされた状態の場合、表示装置１００の体積が小さくなり、運搬を容易にすることができる。
【００３１】
一方、表示部ＤＰをフルアンワインディングされた状態またはフルワインディングされた状態に切り替えるために、表示部ＤＰをワインディングまたはアンワインディングする駆動部が配置される。
【００３２】
＜駆動部＞
図２は、本発明の一実施例による表示装置の分解斜視図である。図３は、本発明の一実施例による表示装置のヘッドバー及び表示部を説明するための概略的な断面図である。図４は、本発明の一実施例による表示装置の断面図である。図４は、本発明の一実施例による表示装置１００のローラ１５１及び表示部ＤＰを説明するための概略的な断面図である。説明の便宜のために、図３では、ヘッドバー１６４及び表示部ＤＰだけを図示し、図４では、ハウジング部ＨＰ、ローラ１５１及び表示部ＤＰだけを図示した。
【００３３】
先ず、図２を参照すると、駆動部ＭＰは、ローラ部１５０及び昇降部１６０を含む。
【００３４】
ローラ部１５０は、第１方向ＤＲ１または第２方向ＤＲ２に回転し、ローラ部１５０に固定された表示部ＤＰをワインディングまたはアンワインディングする。ローラ部１５０は、ローラ１５１、ローラ支持部１５２及びローラ回転部１５３を含む。
【００３５】
ローラ１５１は、表示部ＤＰがワインディングされる部材である。ローラ１５１は、例えば、円筒状の形状からなることができる。ローラ１５１に表示部ＤＰの下側エッジが固定されることができる。ローラ１５１が回転すると、ローラ１５１に下側エッジが固定された表示部ＤＰがローラ１５１にワインディングされることができる。一方、ローラ１５１が反対方向に回転すると、ローラ１５１にワインディングされた表示部ＤＰがローラ１５１からアンワインディングされることができる。
【００３６】
図４を参照すると、ローラ１５１は全体的には円筒形状であるが、一部分が平面からなることができる。即ち、ローラ１５１の外周面の一部分は平たく形成され、外周面の残りの部分は曲面で形成される。但し、これに制限されず、ローラ１５１は、完全な円筒状であるか、表示部ＤＰをワインディングできる任意の形状であることができるが、これに制限されるものではない。
【００３７】
ローラ支持部１５２は、ローラ１５１の両側からローラ１５１を支持する。具体的に、ローラ支持部１５２は、ハウジング部ＨＰの底面ＨＰＦに配置される。そして、ローラ支持部１５２の上端側面は、ローラ１５１の両側末端と結合する。そこで、ローラ支持部１５２は、ローラ１５１がハウジング部ＨＰの底面ＨＰＦから離隔して支持することができる。この時、ローラ１５１はローラ支持部１５２に回転可能に結合することができる。
【００３８】
ローラ回転部１５３は、ローラ１５１を第１方向ＤＲ１または第２方向ＤＲ２に回転させることができる。一対のローラ支持部１５２にそれぞれローラ回転部１５３が配置されることができる。例えば、ローラ回転部１５３は、ローラ１５１に回転力を伝達する回転モータであることができるが、これに制限されない。
【００３９】
昇降部１６０は、ローラ部１５０の駆動に合わせて表示部ＤＰを上下方向に移動させる。昇降部１６０は、リンク支持部１６１、リンク部１６２、リンク昇降部１６３及びヘッドバー１６４を含む。
【００４０】
リンク支持部１６１は、リンク部１６２及びリンク昇降部１６３を支持する。具体的に、リンク支持部１６１は、上下方向に移動するリンク部１６２及び表示部ＤＰがハウジング部ＨＰの開口部ＨＰＯの境界に衝突しないように支持することができる。リンク支持部１６１は、リンク部１６２及び表示部ＤＰが前後方向に移動せず、上下方向だけに移動するように支持することができる。
【００４１】
リンク部１６２は、互いにヒンジ結合された複数のリンク１６２Ｌを含む。複数のリンク１６２Ｌのそれぞれは、互いに回転可能にヒンジ結合して、リンク昇降部１６３によって上下方向に移動することができる。リンク部１６２は、上下方向に移動する時、複数のリンク１６２Ｌのそれぞれが互いに離れるか近くなる方向に回転することができる。これに対する具体的な説明は、図４を参照して後述する。
【００４２】
リンク昇降部１６３は、リンク部１６２を上下方向に移動させることができる。リンク昇降部１６３は、リンク部１６２の複数のリンク１６２Ｌのそれぞれが互いに近くなるように回転させるか、複数のリンク１６２Ｌのそれぞれが互いに離れるように回転させることができる。リンク昇降部１６３は、リンク部１６２を上昇または下降させてリンク部１６２に連結された表示部ＤＰが上昇または下降するようにできる。
【００４３】
この時、リンク昇降部１６３は、ローラ回転部１５３と駆動が同期化して、ローラ部１５０と昇降部１６０が同時に動作することができる。例えば、表示部ＤＰがフルアンワインディングされた状態からフルワインディングされた状態に切り替わる時、ローラ部１５０は、ローラ１５１に表示部ＤＰがワインディングするように動作し、同時に昇降部１６０は、リンク部１６２の複数のリンク１６２Ｌを回転させて表示部ＤＰが下降するように動作することができる。また、表示部ＤＰがフルワインディングされた状態からフルアンワインディングされた状態に切り替わる時、ローラ部１５０は、ローラ１５１から表示部ＤＰがアンワインディングするように動作し、同時に昇降部１６０は、リンク部１６２の複数のリンク１６２Ｌを回転させて表示部ＤＰが上昇するように動作することができる。
【００４４】
昇降部１６０のヘッドバー１６４は、表示部ＤＰの最上端に固定される。ヘッドバー１６４は、リンク部１６２と連結され、リンク部１６２の複数のリンク１６２Ｌの回転によって表示部ＤＰを上下方向に移動させることができる。即ち、表示部ＤＰは、ヘッドバー１６４によってリンク部１６２及びリンク昇降部１６３によって上下方向に移動することができる。
【００４５】
図３を共に参照すると、ヘッドバー１６４は、表示部ＤＰの最上端で、表示部ＤＰの正面及び背面を囲むように配置される。
【００４６】
ヘッドバー１６４は、第１ヘッドバー１６４ａ及び第２ヘッドバー１６４ｂを含む。第１ヘッドバー１６４ａは、表示部ＤＰの正面を覆う。第１ヘッドバー１６４ａは、表示部ＤＰに正面で表示される映像を塞がないように表示部ＤＰの最上端エッジに隣接する正面の一部分だけを覆う。
【００４７】
第２ヘッドバー１６４ｂは、表示部ＤＰの背面を覆う。第２ヘッドバー１６４ｂは、表示部ＤＰの最上端エッジに隣接する背面の一部分を覆う。但し、表示部ＤＰの背面には映像が表示されないので、第２ヘッドバー１６４ｂは、第１ヘッドバー１６４ａより表示部ＤＰにより多く重畳することができる。
【００４８】
表示部ＤＰを第１ヘッドバー１６４ａ及び第２ヘッドバー１６４ｂに締結するために、表示部ＤＰに第１締結孔ＡＨ１が形成されることができる。そして、スクリューＳＣは、第１締結孔ＡＨ１を貫通して第１ヘッドバー１６４ａ、表示部ＤＰ及び第２ヘッドバー１６４ｂを締結することができる。
【００４９】
第２ヘッドバー１６４ｂには、昇降部１６０のリンク部１６２が締結されるペムナットＰＮが配置される。ペムナットＰＮによって第２ヘッドバー１６４ｂと昇降部１６０のリンク部１６２が締結されることができる。従って、昇降部１６０のリンク部１６２が上下方向に移動する時、リンク部１６２に締結された第２ヘッドバー１６４ｂと、第２ヘッドバー１６４ｂに締結された第１ヘッドバー１６４ａ及び表示部ＤＰが共に上下方向に移動することができる。
【００５０】
一方、図３では、第１ヘッドバー１６４ａ及び第２ヘッドバー１６４ｂが直線形状であると図示したが、第１ヘッドバー１６４ａ及び第２ヘッドバー１６４ｂの形状は多様に変更されることができ、これに制限されない。例えば、第１ヘッドバー１６４ａ及び第２ヘッドバー１６４ｂは「逆Ｌ字」の形状を有するように形成してもよい。
【００５１】
以下では、図４を共に参照して、駆動部ＭＰの駆動動作について詳しく説明する。
【００５２】
図４を共に参照すると、ローラ１５１に表示部ＤＰの下側エッジが連結される。そして、ローラ１５１がローラ回転部１５３によって第１方向ＤＲ１、つまり、時計方向に回転すると、表示部ＤＰは、表示部ＤＰの背面がローラ１５１の表面に密着するようにローラ１５１にワインディングされることができる。
【００５３】
反対に、ローラ１５１がローラ回転部１５３によって第２方向ＤＲ２、つまり、反時計方向に回転すると、ローラ１５１にワインディングされた表示部ＤＰがローラ１５１からアンワインディングされてハウジング部ＨＰの外部に配置されることができる。
【００５４】
幾つかの実施例において、上述した駆動部ＭＰ以外に他の構造を有する駆動部ＭＰが表示装置１００に適用されることもできる。即ち、表示部ＤＰをワインディング及びアンワインディングすることができれば、上述したローラ部１５０及び昇降部１６０の構成が変更されてもよく、一部構成が省略されてもよく、他の構成が追加されてもよい。
【００５５】
＜表示装置の具体的構成＞
図５は、本発明の一実施例による表示装置の分解斜視図である。図５では、図示の便宜のために、バックカバー１１０及び接着部１９０を概略化して図示した。
【００５６】
図５を参照すると、表示装置１００は、バックカバー１１０、ベースプレート１７０、接着部１９０、ボトムカバー１８０及びトップカバーＴＣを含む。
【００５７】
バックカバー１１０は、第１バックカバー１１０ａ及び第２バックカバー１１０ｂを含む。第１バックカバー１１０ａは、表示パネル１２０と重畳して配置され、第２バックカバー１１０ｂはローラ部に固定されるように配置される。第１バックカバー１１０ａと第２バックカバー１１０ｂは、互いに離隔して配置される。即ち、第１バックカバー１１０ａと第２バックカバー１１０ｂとの間には空間が配置され、第１バックカバー１１０ａ及び第２バックカバー１１０ｂは、接着部１９０によって連結されることができる。バックカバー１１０に対するさらに詳しい説明は、図８ａ及び図８ｂを参照して後述する。
【００５８】
ベースプレート１７０は、バックカバー１１０の背面に配置される。また、ベースプレート１７０は、第１バックカバー１１０ａと第２バックカバー１１０ｂとの間に対応する部分に露出して配置されることができる。
【００５９】
ベースプレート１７０は、一面からトップカバーＴＣに向かって突出形成された複数の固定突起１７１を含む。複数の固定突起１７１は、ベースプレート１７０とバックカバー１１０上に配置される接着部１９０とボトムカバー１８０を貫通してトップカバーＴＣと締結されることができる。即ち、複数の固定突起１７１は、接着部１９０の複数の固定孔１９１、ボトムカバー１８０の突出部の貫通孔及びトップカバーＴＣの複数の結合孔を貫通して締結されることができる。
【００６０】
複数の固定突起１７１の内部には、複数の固定部材ＦＭが締結可能な構造が配置されることができる。例えば、複数の固定突起１７１は、ペムナットのような構造で形成されてもよく、複数の固定突起１７１の内部にはねじ山が形成され、複数の固定部材ＦＭが複数の固定突起１７１の内部のねじ山によって複数の固定突起１７１に締結されることができる。
【００６１】
バックカバー１１０及びベースプレート１７０上には接着部１９０が配置される。接着部１９０は、接着基材及び接着基材に配置される接着層を含む。即ち、接着基材１９０ｂの一面または両面に接着性を持つ物質からなる接着層１９０が配置されることができる。接着部１９０の接着基材及び接着層に対するさらに詳しい説明は、図７及び図９を参照して後述する。
【００６２】
接着部１９０は、複数の固定孔１９１を含むことができる。複数の固定孔１９１は、ベースプレート１７０の固定突起１７１と対応する位置に配置され、ベースプレート１７０の固定突起１７１が複数の固定孔１９１を貫通することができる。そこで、接着部１９０がベースプレート１７０に固定されることができ、これにより、接着部１９０に接着されるバックカバー１１０もベースプレート１７０から離脱しないように固定されることができる。
【００６３】
接着部１９０上にはボトムカバー１８０が配置される。ボトムカバー１８０は、一端部に沿って配置される複数の突出部１８１を含む。また、複数の突出部１８１のそれぞれの間にフレキシブルフィルム１３０が配置される。複数の突出部１８１には複数の挿入孔１９３が形成され、ベースプレート１７０の複数の固定突起１７１が複数の突出部１８１の複数の挿入孔１９３を貫通することで、ボトムカバー１８０がベースプレート１７０に固定されることができる。
【００６４】
ボトムカバー１８０は、他端部に配置され、ボトムカバー１８０の上面から突き出して形成されるガイド部１８２を含む。ガイド部１８２は、ボトムカバー１８０の枠の一部に沿って一定の離隔距離を持って配置され、ボトムカバー１８０上に配置される印刷回路基板１４０がボトムカバー１８０から離脱することを固定することができる。
【００６５】
ボトムカバー１８０の上側にはトップカバーＴＣが配置されることができる。具体的に、トップカバーＴＣは、ボトムカバー１８０及びボトムカバー１８０に配置されたフレキシブルフィルム１３０及び印刷回路基板１４０を覆うように配置され、フレキシブルフィルム１３０及び印刷回路基板１４０を保護することができる。従って、トップカバーＴＣは、樹脂などのような絶縁物質からなることができるが、これに制限されない。
【００６６】
トップカバーＴＣは、曲面状の外周面を有することができる。トップカバーＴＣは、バックカバー１１０が巻かれる形状を追従するように外周面が曲面状で形成されるが、この時、バックカバー１１０の曲面が持つ曲率は、ローラ１５１の曲率と実質的に同一であることができる。即ち、トップカバーＴＣは、表示装置１００がワインディングされる時に、ローラ１５１の平面部に配置されるが、トップカバーＴＣがローラ１５１の平面部に配置された時に、ローラ１５１及びトップカバーＴＣがなす形状が実質的に円形になるように、トップカバーＴＣはローラ１５１と実質的に同一の曲率を持つ外周面を有するように形成されることができる。
【００６７】
トップカバーＴＣは、接着部１９０の複数の固定孔１９１に対応する位置に配置される複数の結合孔ＴＨを含む。そこで、複数の固定部材ＦＭは、トップカバーＴＣの複数の結合孔ＴＨを貫通するように配置されることができる。トップカバーＴＣの複数の結合孔ＴＨを貫通した複数の固定部材ＦＭのそれぞれは、ベースプレート１７０の複数の固定突起１７１と締結され、ベースプレート１７０、ボトムカバー１８０、トップカバーＴＣ及び接着部１９０が締結されて固定されることができる。ベースプレート１７０とトップカバーＴＣを締結する複数の固定部材ＦＭは、例えば、スクリュー、ボルトなどであることができるが、これに制限されない。
【００６８】
＜表示部＞
図６は、本発明の一実施例による表示装置の表示部の平面図である。図７は、本発明の一実施例による表示装置の表示部の断面図である。
【００６９】
図６を参照すると、表示部ＤＰは、バックカバー１１０、表示パネル１２０、フレキシブルフィルム１３０及び印刷回路基板１４０を含む。
【００７０】
表示パネル１２０は、使用者に映像を表示するためのパネルである。表示パネル１２０は、映像を表示するための表示素子、表示素子を駆動するための駆動素子、及び表示素子及び駆動素子に各種の信号を伝達する配線などが配置されることができる。表示素子は、表示パネル１２０の種類によって異なって定義されることができ、例えば、表示パネル１２０が有機発光表示パネルの場合、表示素子は、アノード、有機発光層及びカソードを含む有機発光素子であることができる。例えば、表示パネル１２０が液晶表示パネルの場合、表示素子は液晶表示素子であることができる。以下では、表示パネル１２０が有機発光表示パネルであると仮定するが、表示パネル１２０が有機発光表示パネルに制限されるものではない。また、本発明の一実施例による表示装置１００は、ローラブル表示装置であるので、表示パネル１２０は、ローラ１５１にワインディングまたはアンワインディングされるためにフレキシブル表示パネルで実現されることができる。
【００７１】
表示パネル１２０は、表示領域ＡＡ及び非表示領域ＮＡを含む。
表示領域ＡＡは、表示パネル１２０で映像が表示される領域である。表示領域ＡＡには、複数のサブ画素及び複数のサブ画素を駆動するための回路が配置されることができる。複数のサブ画素は、表示領域ＡＡを構成する最小単位であり、複数のサブ画素のそれぞれに表示素子が配置されることができる。例えば、複数のサブ画素のそれぞれには、アノード、有機発光層及びカソードを含む有機発光素子が配置されることができるが、これに制限されない。また、複数のサブ画素を駆動するための回路には、駆動素子及び配線などが含まれることができる。例えば、回路は、薄膜トランジスタ、ストレージキャパシタ、ゲート配線、データ配線などからなることができるが、これに制限されない。
【００７２】
非表示領域ＮＡは、映像が表示されない領域である。非表示領域ＮＡには、表示領域ＡＡの有機発光素子を駆動するための多様な配線及び回路などが配置される。例えば、非表示領域ＮＡには、表示領域ＡＡの複数のサブ画素及び回路に信号を伝達するためのリンク配線またはゲートドライバーＩＣ、データドライバーＩＣのような駆動ＩＣなどが配置されることができるが、これに制限されない。
【００７３】
フレキシブルフィルム１３０は、延性を持ったベースフィルムに各種の部品が配置されたフィルムで、表示領域ＡＡの複数のサブ画素及び回路に信号を供給するためのフィルムとして、表示パネル１２０と電気的に連結することができる。フレキシブルフィルム１３０は、表示パネル１２０の非表示領域ＮＡの一端に配置され、電源電圧、データ電圧などを表示領域ＡＡの複数のサブ画素及び回路に供給する。図５に示されたフレキシブルフィルム１３０の個数は例示的なものであり、フレキシブルフィルム１３０の個数は、設計によって多様に変更されることができ、これに制限されない。
【００７４】
一方、フレキシブルフィルム１３０に、例えば、ゲートドライバーＩＣ、データドライバーＩＣのような駆動ＩＣが配置されることができる。駆動ＩＣは、映像を表示するためのデータとこれを処理するための駆動信号を処理する部品である。駆動ＩＣは、実装される方式によってチップオングラス（Ｃｈｉｐ  Ｏｎ  Ｇｌａｓｓ；ＣＯＧ）、チップオンフィルム（Ｃｈｉｐ  Ｏｎ  Ｆｉｌｍ；ＣＯＦ）、テープキャリアパッケージ（Ｔａｐｅ  Ｃａｒｒｉｅｒ  Ｐａｃｋａｇｅ；ＴＣＰ）などの方式で配置されることができる。但し、説明の便宜のために、駆動ＩＣがフレキシブルフィルム１３０上に実装されたチップオンフィルム方式であると説明したが、これに制限されない。
【００７５】
印刷回路基板１４０は、フレキシブルフィルム１３０の一端に配置され、フレキシブルフィルム１３０と連結する。印刷回路基板１４０は、駆動ＩＣに信号を供給する部品である。印刷回路基板１４０は、駆動信号、データ信号などのような多様な信号を駆動ＩＣに供給する。印刷回路基板１４０には、各種の部品が配置されることができる。例えば、印刷回路基板１４０には、タイミングコントローラ、電源部などが配置されることができる。一方、図５では印刷回路基板１４０が１個であると図示したが、印刷回路基板１４０の個数は、設計によって多様に変更されることができ、これに制限されない。
【００７６】
一方、図６には示されていないが、印刷回路基板１４０と連結される追加の印刷回路基板がさらに配置されることができる。例えば、印刷回路基板１４０は、データ駆動部が実装されるソース印刷回路基板（Ｓｏｕｒｃｅ  ＰＣＢ；Ｓ−ＰＣＢ）と指称されることができ、印刷回路基板１４０と連結される追加の印刷回路基板は、タイミングコントローラなどが実装されるコントロール印刷回路基板（Ｃｏｎｔｒｏｌ  ＰＣＢ；Ｃ−ＰＣＢ）と指称されることができる。追加の印刷回路基板は、ローラ１５１内に配置されてもよく、ローラ１５１の外部でハウジング部ＨＰ内に配置されてもよい。
【００７７】
バックカバー１１０は、接着部１９０、表示パネル１２０、フレキシブルフィルム１３０及び印刷回路基板１４０の背面で配置され、表示パネル１２０、フレキシブルフィルム１３０及び印刷回路基板１４０を支持する。そこで、バックカバー１１０は、表示パネル１２０の大きさより大きいことができる。即ち、バックカバー１１０の外側エッジは、対応する表示パネル１２０の外側エッジより外側に配置されることができる。そこで、表示部ＤＰがハウジング部ＨＰの外部に配置された場合、バックカバー１１０は、外部の衝撃から表示部ＤＰの他の構成、特に、表示パネル１２０を保護することができる。バックカバー１１０は、剛性を持つ物質で形成されるが、バックカバー１１０の少なくとも一部分は、表示パネル１２０と共にワインディングまたはアンワインディングされるためにフレキシビリティ（ｆｌｅｘｉｂｉｌｉｔｙ）を持つことができる。例えば、バックカバー１１０は、ＳＵＳ（Ｓｔｅｅｌ  Ｕｓｅ  Ｓｔａｉｎｌｅｓｓ）またはインバー（Ｉｎｖａｒ）などの金属材質またはプラスチックなどの物質からなることができる。但し、バックカバー１１０の物質は、設計によって熱変形量、曲率半径、剛性などの物性条件を満せば、多様に変更されることができ、これに制限されない。
【００７８】
図７を参照すると、表示パネル１２０は、基板１２１、バッファ層１２２、画素部１２３、封止層１２４及び封止基板１２５を含む。
【００７９】
基板１２１は、表示パネル１２０の多様な構成を支持するためのベース部材で、絶縁物質で構成されることができる。基板１２１は、表示パネル１２０がワインディングまたはアンワインディングされるために、フレキシビリティを有する物質からなることができ、例えば、ポリイミド（ＰＩ）などのようなプラスチック物質からなることができる。
【００８０】
バッファ層１２２は、基板１２１の外側から浸透した水分及び／または酸素が拡散することを防止することができる。バッファ層１２２は、シリコン酸化物（ＳｉＯｘ）及びシリコン窒化物（ＳｉＮｘ）の単層や複層で構成されることができるが、これに制限されない。
【００８１】
画素部１２３は、複数の有機発光素子及び有機発光素子を駆動するための回路を含む。画素部１２３は、表示領域ＡＡに対応する領域であることができる。有機発光素子は、アノード、有機発光層及びカソードを含むことができる。
【００８２】
アノードは、有機発光層に正孔を供給することができ、仕事関数の高い導電性物質からなることができる。例えば、アノードは、スズ酸化物（Ｔｉｎ  Ｏｘｉｄｅ；ＴＯ）、インジウムスズ酸化物（Ｉｎｄｉｕｍ  Ｔｉｎ  Ｏｘｉｄｅ；ＩＴＯ）、インジウム亜鉛酸化物（Ｉｎｄｉｕｍ  Ｚｉｎｃ  Ｏｘｉｄｅ；ＩＺＯ）、インジウムスズ亜鉛酸化物（Ｉｎｄｉｕｍ  Ｚｉｎｃ  Ｔｉｎ  Ｏｘｉｄｅ；ＩＴＺＯ）などからなることができるが、これに制限されない。
【００８３】
有機発光層は、アノードから正孔の供給を受け、カソードから電子の供給を受けて光を発光することができる。有機発光層は、有機発光層で発光された光の色相によって、赤色有機発光層、緑色有機発光層、青色有機発光層及び白色有機発光層などでなることができる。この時、有機発光層が白色有機発光層の場合、多様な色相のカラーフィルターが追加でさらに配置されることができる。
【００８４】
カソードは、有機発光層に電子を供給することができ、仕事関数の低い導電性物質からなることができる。例えば、カソードは、マグネシウム（Ｍｇ）、銀（Ａｇ）、アルミニウム（Ａｌ）などのような金属及びこれらの合金からなる群より選択されたいずれか一つ以上でなることができるが、これに制限されない。
【００８５】
一方、有機発光素子で発光された光が放出される方向によって、表示パネル１２０は、トップエミッション（ｔｏｐ  ｅｍｉｓｓｉｏｎ）またはボトムエミッション（ｂｏｔｔｏｍ  ｅｍｉｓｓｉｏｎ）方式で構成されることができる。
【００８６】
トップエミッション方式は、有機発光素子で発光された光が有機発光素子が形成された基板１２１の上部に発光される方式である。トップエミッション方式の場合、有機発光素子で発光された光を基板１２１の上部に、つまり、カソード側に進行させるために、アノード下部に反射層が形成されることができる。
【００８７】
ボトムエミッション方式は、有機発光素子で発光された光が有機発光素子が形成された基板１２１の下部に発光される方式である。ボトムエミッション方式の場合、有機発光素子で発光された光を基板１２１の下部に進行させるために、アノードは透明導電性物質だけでなることができ、カソードが反射率の高い金属物質でなることができる。
【００８８】
以下では、説明の便宜のために、本発明の一実施例による表示装置１００がボトムエミッション方式の表示装置であると仮定して説明するが、これに制限されるものではない。
【００８９】
画素部１２３には、有機発光素子を駆動するための回路が配置される。回路は、薄膜トランジスタ、ストレージキャパシタ、ゲート配線、データ配線、電源配線などでなることができるが、表示装置１００の設計によって多様に変更されることができる。
【００９０】
画素部１２３上に画素部１２３を覆う封止層１２４が配置される。封止層１２４は、画素部１２３の有機発光素子を密封する。封止層１２４は、外部の湿気、酸素、衝撃などから画素部１２３の有機発光素子を保護することができる。封止層１２４は、複数の無機層と複数の有機層が交互に積層して形成されることができる。例えば、無機層は、シリコン窒化物（ＳｉＮｘ）、シリコン酸化物（ＳｉＯｘ）、アルミニウム酸化物（ＡｌＯｘ）などのような無機物からなることができ、有機層は、エポキシ（Ｅｐｏｘｙ）系列またはアクリル（Ａｃｒｙｌ）系列のポリマーが使用されることができるが、これに制限されない。
【００９１】
封止層１２４上に封止基板１２５が配置される。封止基板１２５は、封止層１２４と共に画素部１２３の有機発光素子を保護する。封止基板１２５は、外部の湿気、酸素、衝撃などから画素部１２３の有機発光素子を保護することができる。封止基板１２５は、耐腐食性が強く、ホイル（ｆｏｉｌ）あるいは薄膜形態で加工が容易なアルミニウム（Ａｌ）、ニッケル（Ｎｉ）、クロム（Ｃｒ）、鉄（Ｆｅ）とニッケルの合金材質などの金属材質からなることができる。そこで、封止基板１２５を金属材質で形成することによって、超薄膜形態で封止基板１２５の実現が可能であり、外部の衝撃及び引っかかりに強い耐保護性が提供されることができる。
【００９２】
封止層１２４と封止基板１２５との間に接着部材ＡＤが配置されることができる。接着部材ＡＤは、封止層１２４と封止基板１２５を接着させることができる。接着部材ＡＤは接着性を持つ物質からなり、熱硬化型または自然硬化型の接着剤であることができる。例えば、接着部材ＡＤは、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）などからなることができるが、これに制限されない。
【００９３】
一方、接着部材ＡＤは、封止層１２４及び画素部１２３を囲むように配置されることができる。即ち、画素部１２３は、バッファ層１２２及び封止層１２４によって密封されることができ、封止層１２４及び画素部１２３は、バッファ層１２２と接着部材ＡＤによって密封されることができる。接着部材ＡＤは、封止層１２４及び封止基板１２５と共に画素部１２３の有機発光素子を外部の湿気、酸素、衝撃などから保護することができる。この時、接着部材ＡＤは、吸湿剤をさらに含むことができる。吸湿剤は吸湿性を持つパーティクルであることができ、外部から水分及び酸素などを吸収して、画素部１２３に水分及び酸素が浸透することを最小化することができる。
【００９４】
封止基板１２５上にバックカバー１１０が配置される。バックカバー１１０は、表示パネル１２０の封止基板１２５に接するように配置され、表示パネル１２０を保護することができる。バックカバー１１０は、表示パネル１２０を保護するために、剛性を持つ物質で形成されることができる。
【００９５】
封止基板１２５とバックカバー１１０との間に接着部１９０が配置される。接着部１９０は、封止基板１２５とバックカバー１１０を接着させることができる。
【００９６】
図７を参照すると、接着部１９０は、接着基材１９０ｂ及び接着基材１９０ｂの一面に配置される接着層１９０ａ、１９０ｃを含む。接着層１９０ａ、１９０ｃは、バックカバー１１０と接着基材１９０ｂとの間に配置されてバックカバー１１０に接着される第１接着層１９０ａ、及び封止基板１２５と接着基材１９０ｂとの間に配置されて封止基板１２５に接着される第２接着層１９０ｃを含むことができる。接着基材１９０ｂは、接着層１９０ａ、１９０ｃに接着される構造物を支持することができる剛性を持ちながらも、ローラ部１５０のワインディングまたはアンワインディングによってくるくる巻かれるフレキシビリティを有する物質からなることができる。例えば、接着基材１９０ｂは、ＴＰＯ（Ｔｈｅｒｍｏｐｌａｓｔｉｃ  Ｏｌｅｆｉｎｉｃ  Ｅｌａｓｔｏｍｅｒ）、ポリウレタン（ｐｏｌｙｕｒｅｔｈａｎｅ、ＰＵ）、ポリエチレンテレフタレート（Ｐｏｌｙｅｔｈｙｌｅｎｅ  ｔｅｒｅｐｈｔｈａｌａｔｅ、ＰＥＴ）のようなプラスチック系列の物質からなることができるが、これに制限されず、設計によって多様に変更されることができる。また、接着層１９０ａ、１９０ｃは、アクリル（ａｃｒｙｌｉｃ）系列の物質からなることができるが、これに制限されず、設計によって多様に変更されることができる。
【００９７】
図７では、バックカバー１１０の複数の開口部１１１に第１接着層１９０ａが満たされていないと図示したが、第１接着層１９０ａは、バックカバー１１０の複数の開口部１１１の一部または全体に満たされることができる。もし、第１接着層１９０ａがバックカバー１１０の複数の開口部１１１の内側に満たされる場合、第１接着層１９０ａとバックカバー１１０の間の接触面積が増加して剥離現象が防止されることができる。
【００９８】
一方、図７には示されていないが、基板１２１の前面に透光性フィルムがさらに配置されることができる。透光性フィルムは、表示パネル１２０の全面を保護するか、表示パネル１２０に入射する外部光の反射を最小化するなどの機能を行うことができる。例えば、透光性フィルムは、ＰＥＴ（ｐｏｌｙｅｔｈｙｌｅｎｅｔｅｒｅｐｈｔｈａｌａｔｅ）フィルム、反射防止フィルム、偏光フィルム及び透過度制御フィルム（ｔｒａｎｓｍｉｔｔａｎｃｅ  ｃｏｎｔｒｏｌｌａｂｌｅ  ｆｉｌｍ）の少なくともいずれか一つのフィルムであることができるが、これに制限されない。
【００９９】
以下では、図８ａ及び図８ｂを参照して、バックカバー１１０についてより詳しく説明する。
【０１００】
＜バックカバーの具体的構成＞
図８ａは、本発明の一実施例による表示装置でバックカバーの平面図である。図８ｂは、図８ａのＡ領域の拡大図である。
【０１０１】
図８ａを参照すると、バックカバー１１０は、第１バックカバー１１０ａ及び第２バックカバー１１０ｂを含む。バックカバー１１０は、延性領域ＭＡ間を中心として第１バックカバー１１０ａと第２バックカバー１１０ｂに分離すると定義されることができる。
【０１０２】
第１バックカバー１１０ａ及び第２バックカバー１１０ｂは、それぞれ延性領域ＭＡを含み、延性領域ＭＡから延長する支持領域ＰＡを含む。具体的に、第１バックカバー１１０ａは、表示パネル１２０と重畳する第１延性領域ＭＡ１及び第１延性領域ＭＡ１から延長する第１支持領域ＰＡ１を含み、第２バックカバー１１０ｂは、ローラ部１５０と締結される第２支持領域ＰＡ２及び第２支持領域ＰＡ２から第１バックカバー１１０ａ側に延長する第２延性領域ＭＡ２を含む。
【０１０３】
図８ａを参照すると、第１バックカバー１１０ａの第１支持領域ＰＡ１は、バックカバー１１０の最上端領域で、ヘッドバー１６４と締結される領域である。第１支持領域ＰＡ１には、ヘッドバー１６４と締結するために、第１締結孔ＡＨ１が形成される。そして、図３で上述したように、ヘッドバー１６４と第１締結孔ＡＨ１を貫通するスクリューＳＣが配置されて、ヘッドバー１６４と第１バックカバー１１０ａの第１支持領域ＰＡ１が締結されることができる。そして、第１支持領域ＰＡ１がヘッドバー１６４と締結されることによって、ヘッドバー１６４に締結されたリンク部１６２が上昇または下降時に、バックカバー１１０も共に昇降または下降することができ、バックカバー１１０に付着した表示パネル１２０も共に昇降または下降することができる。図８ａでは、第１締結孔ＡＨ１が５個であると図示したが、第１締結孔ＡＨ１の個数はこれに制限されない。また、図８ａでは、第１バックカバー１１０ａが第１締結孔ＡＨ１を使用してヘッドバー１６４と締結すると説明したが、これに制限されず、別途の締結孔なしにバックカバー１１０とヘッドバー１６４が締結されることもできる。
【０１０４】
図８ａを参照すると、第２バックカバー１１０ｂの第２支持領域ＰＡ２は、バックカバー１１０の最下端領域でローラ１５１と締結する領域である。第２支持領域ＰＡ２には、ローラ１５１と締結するために第２締結孔ＡＨ２が形成されることができる。例えば、ローラ１５１と第２締結孔ＡＨ２を貫通するスクリューＳＣが配置され、ローラ１５１と第２バックカバー１１０ｂの第２支持領域ＰＡ２が締結されることができる。そして、第２支持領域ＰＡ２がローラ１５１と締結されることによって、ローラ１５１の回転により、第２バックカバー１１０ｂがローラ１５１にワインディングまたはアンワインディングされることができる。図８ａでは、第２締結孔ＡＨ２が２個であると図示したが、第２締結孔ＡＨ２の個数はこれに制限されない。
【０１０５】
一方、バックカバー１１０の第１バックカバー１１０ａと第２バックカバー１１０ｂは、ローラ１５１の平面の長さと同一であるか長い離隔距離で離隔することができる。バックカバー１１０がワインディングされる場合、バックカバー１１０がローラ１５１の平面に隣接する曲面に乗る領域でバックカバー１１０に応力が発生し得る。即ち、ローラ１５１の平面と曲面の境界部分は曲率半径が最も小さい部分であるので、ワインディング時に発生する応力によってバックカバー１１０が損傷され得る。従って、第１バックカバー１１０ａと第２バックカバー１１０ｂ間の離隔距離がローラ１５１の平面の長さと同一であるか長く配置して、ローラ１５１の平面部分にバックカバー１１０が配置されないようにし、これにより、バックカバー１１０のワインディング時にバックカバー１１０に発生する応力を最小化することができる。
【０１０６】
バックカバー１１０の延性領域ＭＡは、表示パネル１２０と共にローラ１５１にワインディングまたはアンワインディングされる領域である。延性領域ＭＡは、表示部ＤＰの他の構成のうち少なくとも表示パネル１２０には重畳することができる。
【０１０７】
バックカバー１１０の延性領域ＭＡに複数の開口部１１１が配置される。即ち、第１バックカバー１１０ａの第１延性領域ＭＡ１及び第２バックカバー１１０ｂの第２延性領域ＭＡ２には、全て複数の開口部１１１が配置されることができる。表示部ＤＰがワインディングまたはアンワインディングされる時、複数の開口部１１１は、表示部ＤＰに加えられる応力によって変形することができる。具体的に、表示部ＤＰがワインディングまたはアンワインディングされる時、バックカバー１１０の延性領域ＭＡは、複数の開口部１１１が収縮または膨脹することによって変形されることができる。そして、複数の開口部１１１が収縮または膨脹することで、バックカバー１１０の延性領域ＭＡ上に配置された表示パネル１２０のスリップ（ｓｌｉｐ）現象が最小化されながら、表示パネル１２０に加えられる応力、つまり、ストレスを最小化することができる。バックカバー１１０の複数の開口部１１１は、エッチング工程を通じて形成されることができる。即ち、バックカバー１１０を構成する金属物質からなる板に対して、一方向または両方向にエッチングを行い複数の開口部１１１を含むバックカバー１１０が形成されることができる。
【０１０８】
表示パネル１２０及びバックカバー１１０をワインディングする時、表示パネル１２０とバックカバー１１０の曲率半径差により、ローラ１５１にワインディングされる表示パネル１２０の長さとバックカバー１１０の長さが異なる。例えば、バックカバー１１０及び表示パネル１２０をローラ１５１にワインディングする時、バックカバー１１０及び表示パネル１２０がローラ１５１に一回りワインディングされるために必要な長さは異なることができる。即ち、表示パネル１２０がローラ１５１を基準としてバックカバー１１０より外側に配置されるので、表示パネル１２０がローラ１５１に一回りワインディングされるために必要な長さは、バックカバー１１０がローラ１５１に一回りワインディングされるために必要な長さより長いことができる。このように、表示部ＤＰのワインディング時に曲率半径差によってバックカバー１１０と表示パネル１２０でワインディングされる長さが異なり、バックカバー１１０に付着した表示パネル１２０が滑って本来の位置から移動することもある。この時、ワインディングによって発生した応力及び曲率半径差によって表示パネル１２０がバックカバー１１０から滑る現象をスリップ現象と定義することができる。スリップが大きくなりすぎると、表示パネル１２０がバックカバー１１０から脱着するか、クラックなどの不良が発生する可能性がある。
【０１０９】
この時、本発明の一実施例による表示装置１００では、表示部ＤＰがワインディングまたはアンワインディングされて、表示部ＤＰに応力が加えられても、バックカバー１１０の複数の開口部１１１が柔軟に変形して、バックカバー１１０及び表示パネル１２０に加えられる応力を緩和させることができる。例えば、バックカバー１１０及び表示パネル１２０がローラ１５１にワインディングされる時、バックカバー１１０及び表示パネル１２０を上下方向に変形させる応力が加えられることができる。この時、バックカバー１１０の複数の開口部１１１がバックカバー１１０の上下方向に伸びることができ、バックカバー１１０の長さも柔軟に変形されることができる。従って、バックカバー１１０と表示パネル１２０がワインディングされる過程で、曲率半径差によるバックカバー１１０と表示パネル１２０の長さ差をバックカバー１１０の複数の開口部１１１が補償することができる。また、バックカバー１１０と表示パネル１２０がワインディングされる過程で、複数の開口部１１１が変形されてバックカバー１１０から表示パネル１２０に加えられる応力も緩和されることができる。
【０１１０】
図８ａ及び図８ｂを参照すると、複数の開口部１１１は、隣り合う行の複数の開口部１１１に対して交互に配置される。例えば、一つの行に配置された複数の開口部１１１は、当該行に隣り合う行に配置された複数の開口部１１１と交互に配置される。具体的に、奇数行に配置された複数の開口部１１１の中心と、偶数行に配置された複数の開口部１１１の中心とは、交互に配置されることができ、例えば、開口部１１１の行方向に対する幅１１１ＷＲの１／２ずつ交互に配置されることができる。但し、図８ａに図示された複数の開口部１１１の配置は例示的なものであり、これに制限されない。
【０１１１】
複数の開口部１１１が交互に配置されることによって、列方向に中心が互いに一致する複数の開口部１１１間の距離１１１ＷＢが最小化されることができる。具体的に、延性領域ＭＡで列方向に中心が一致する複数の開口部１１１間の領域は、剛性を持つことができる。そして、バックカバー１１０のワインディング時に、バックカバー１１０は列方向に曲がらなければならないので、列方向に中心が一致する複数の開口部１１１間の一部領域の距離１１１ＷＢが長いほど、バックカバー１１０が列方向に曲がるのが難しい。この時、複数の開口部１１１を行単位で交互に配置することによって、行単位で交互に配置されない場合より列方向に中心が互いに一致する複数の開口部１１１間の距離１１１ＷＢを最小化することができ、複数の開口部１１１間の領域も最小化することができる。従って、列方向に中心が一致する複数の開口部１１１間の距離１１１ＷＢが減少し、延性領域ＭＡで列方向に延長し続けて複数の開口部１１１が配置されない領域を除去することによって、列方向に剛性を持つ複数の開口部１１１間の領域の距離１１１ＷＢが最小化されて、バックカバー１１０のワインディングまたはアンワインディングを妨害せずにバックカバー１１０の剛性を向上させることができる。
【０１１２】
図８ｂを参照すると、複数の開口部１１１は、行方向に対する最大幅１１１ＷＲが列方向に対する最大幅１１１ＷＣより大きい。即ち、図８ｂに示すように、複数の開口部１１１の横方向に対する最大幅１１１ＷＲが複数の開口部１１１の縦方向に対する最大幅１１１ＷＣより大きいことができる。
【０１１３】
複数の開口部１１１の行方向に対する幅１１１ＷＲが大きくなるほど、バックカバー１１０の延性領域ＭＡが柔軟に変形されることができる。具体的に、バックカバー１１０は、ワインディング時に、バックカバー１１０の列方向に曲げられることができ、複数の開口部１１１が列方向に伸びるように応力が加えられることができる。この時、複数の開口部１１１の行方向に対する幅１１１ＷＲが大きくなると、複数の開口部１１１を列方向に引っぱった時、複数の開口部１１１が列方向に伸びる幅１１１ＷＣが増加することができる。そして、複数の開口部１１１が列方向に伸びるほど、延性領域ＭＡに加えられる応力も緩和されることができる。従って、複数の開口部１１１の行方向に対する幅１１１ＷＲを大きくして、バックカバー１１０の延性領域ＭＡが容易にワインディングまたはアンワインディングされるようにでき、延性領域ＭＡに加えられる応力も緩和させることができる。
【０１１４】
複数の開口部１１１の列方向に対する幅１１１ＷＣが大きくなるほど複数の開口部１１１の加工が容易である。但し、複数の開口部１１１の列方向に対する幅１１１ＷＣが大きくなる場合、延性領域ＭＡで複数の開口部１１１の開口率が大きくなり、延性領域ＭＡに付着する表示パネル１２０とバックカバー１１０の接触面積が減少する。この時、表示パネル１２０とバックカバー１１０の重畳面積、つまり、バックカバー１１０と第２接着層１９０ｃ間の接触面積が減少すれば、バックカバー１１０と第２接着層１９０ｃの剥離が発生する可能性もある。従って、複数の開口部１１１の列方向に対する幅１１１ＷＣを調節して表示パネル１２０とバックカバー１１０間の剥離が起こらないように接着力を調節することができ、複数の開口部１１１の行方向に対する幅１１１ＷＲを調節してバックカバー１１０が高いフレキシビリティを有するように設計することができる。
【０１１５】
この時、第１支持領域ＰＡ１と第２支持領域ＰＡ２には、延性領域ＭＡに形成されたような複数の開口部１１１が形成されない。即ち、第１支持領域ＰＡ１及び第２支持領域ＰＡ２のそれぞれには、第１締結孔ＡＨ１及び第２締結孔ＡＨ２のみが形成されるだけで、延性領域ＭＡに形成されたような複数の開口部１１１は形成されない。また、第１締結孔ＡＨ１及び第２締結孔ＡＨ２は、複数の開口部１１１と形状が互いに異なる。第１支持領域ＰＡ１及び第２支持領域ＰＡ２は、それぞれヘッドバー１６４とローラ１５１に固定される領域で、延性領域ＭＡより剛性を持たなければならない。具体的に、第１支持領域ＰＡ１及び第２支持領域ＰＡ２が剛性を持つことによって、第１支持領域ＰＡ１及び第２支持領域ＰＡ２は、ヘッドバー１６４及びローラ１５１に固く固定されることができる。従って、表示部ＤＰが駆動部ＭＰのローラ１５１及びヘッドバー１６４に固定されて、駆動部ＭＰの動作によってハウジング部ＨＰの内部または外部に移動されることができる。
【０１１６】
本発明の一実施例による表示装置１００では、複数の開口部１１１が形成されたバックカバー１１０が表示パネル１２０の背面に配置され、表示パネル１２０を支持及び保護する。バックカバー１１０は、金属材質などで形成されて剛性を持つと同時に、バックカバー１１０のうち表示パネル１２０が配置される延性領域ＭＡに複数の開口部１１１が形成されて、バックカバー１１０のフレキシビリティが向上されることができる。そこで、表示装置１００の表示部ＤＰがハウジング部ＨＰの外部に配置されたフルアンワインディングされた状態で、剛性を持つ材質からなり高い剛性を持つバックカバー１１０は、表示パネル１２０が平たく広がるように支持することができる。一方、表示装置１００の表示部ＤＰがハウジング部ＨＰの内部に収納されたフルワインディングされた状態で、複数の開口部１１１によって高いフレキシビリティを有するバックカバー１１０は、表示パネル１２０と共にローラ１５１にワインディングされて収納されることができる。
【０１１７】
また、本発明の一実施例による表示装置１００では、複数の開口部１１１の行方向に対する幅１１１ＷＲを調節して、バックカバー１１０がフレキシビリティを有するようにでき、バックカバー１１０のワインディング時に加えられる応力を緩和することができる。具体的に、バックカバー１１０及び表示パネル１２０がローラにワインディングされる時、バックカバー１１０は列方向に曲げられ、複数の開口部１１１が列方向に伸びるように応力が加えられることができる。複数の開口部１１１は、行方向に対する幅１１１ＷＲを大きく形成することで、バックカバー１１０及び表示パネル１２０がローラ１５１にワインディングされる時、複数の開口部１１１が列方向に容易に伸びることができ、バックカバー１１０に加えられる応力が緩和されることができる。そこで、本発明の一実施例による表示装置１００では、複数の開口部１１１の行方向に対する幅１１１ＷＲを調節してバックカバー１１０のフレキシビリティを高めることができ、バックカバー１１０及び表示パネル１２０がローラ１５１に容易にワインディングされることができる。また、複数の開口部１１１が列方向に膨脹しながらバックカバー１１０及び表示パネル１２０に加えられる応力を緩和することができ、表示パネル１２０の破損を低減することができる。
【０１１８】
また、本発明の一実施例による表示装置１００では、複数の開口部１１１の列方向に対する幅１１１ＷＣを調節して、バックカバー１１０と表示パネル１２０間の接着力を調節することができる。具体的に、表示パネル１２０は、バックカバー１１０の延性領域ＭＡに付着する。この時、延性領域ＭＡに配置された複数の開口部１１１の開口率が大きいほど表示パネル１２０とバックカバー１１０が接触する面積が減少し、表示パネル１２０とバックカバー１１０間の接着力が減少することができる。しかし、本発明の一実施例による表示装置１００では、バックカバー１１０の複数の開口部１１１の列方向に対する幅１１１ＷＣを小さく形成して複数の開口部１１１の開口率を減らすことができ、表示パネル１２０とバックカバー１１０の接触面積を増やすことができる。表示パネル１２０とバックカバー１１０の接触面積が増えることによって、表示パネル１２０とバックカバー１１０の接着力が向上されることができる。そこで、本発明の一実施例による表示装置１００では、複数の開口部１１１の列方向に対する幅１１１ＷＣを調節して、バックカバー１１０と表示パネル１２０間の剥離が起こらないように一定水準以上の接着力を確保することができる。
一方、複数の開口部１１１の形状は、行方向に対する幅が列方向に対する幅より大きければ図８ａ及び図８ｂに示した形状に制限されず、多様な形状であることができ、例えば、ダンベル状、菱形状、リボン状、楕円状などであることができる。
【０１１９】
以下では、本発明の一実施例による表示装置１００の締結構造に対するより詳しい説明のために、図９を共に参照する。
【０１２０】
＜ベースプレートとトップカバーの締結構造＞
図９は、本発明の一実施例による表示装置の締結構造を説明するための断面図である。本発明の一実施例による表示装置１００の締結構造に対するより詳しい説明のために、図５を共に参照する。
【０１２１】
図９を参照すると、接着層１９０ａ、１９０ｃは、接着基材１９０ｂの一部領域のみに配置されることができる。具体的に、第１接着層１９０ａは、接着基材１９０ｂとバックカバー１１０が重畳する領域のみに配置されることができ、第２接着層１９０ｃは、接着基材１９０ｂと表示パネル１２０が重畳する領域のみに配置されることができる。
【０１２２】
さらに詳しい説明のために図９を参照すると、接着部１９０は、第１領域Ａ１、第２領域Ａ２及び第３領域Ａ３を含む。
【０１２３】
接着部１９０の第１領域Ａ１は、第１バックカバー１１０ａ及び表示パネル１２０と重畳し、接着基材１９０ｂの両面に接着層１９０ａ、１９０ｃが配置される領域である。即ち、第１領域Ａ１で接着基材１９０ｂの一面には第１接着層１９０ａが配置されて第１バックカバー１１０ａが接着され、接着基材１９０ｂの他面には第２接着層１９０ｃが配置されて表示パネル１２０が接着されることができる。
【０１２４】
接着部１９０の第２領域Ａ２は、接着部１９０がローラ部１５０に固定され、接着基材１９０ｂの一面に接着層１９０ａが配置される領域である。即ち、第２領域Ａ２は、第１接着層１９０ａだけが配置されることができる。図９に示すように、第２領域Ａ２に第１接着層１９０ａだけが配置され、第１接着層１９０ａによって第２バックカバー１１０ｂが接着部１９０に接着されることができる。この時、第２バックカバー１１０ｂ及び接着部１９０は、複数の結合部材ＣＭを通じてローラ１５１に堅固に固定されることができる。複数の結合部材ＣＭは、スクリュー、ボルトなどであることができるが、これに制限されない。
【０１２５】
接着部１９０の第３領域Ａ３は、第１領域Ａ１と第２領域Ａ２との間の領域である。接着部１９０の第３領域Ａ３には、接着基材１９０ｂだけが配置される。即ち、第３領域Ａ３には第１接着層１９０ａ及び第２接着層１９０ｃがいずれも配置されず、接着基材１９０ｂだけが配置される。第３領域Ａ３中のフレキシブルフィルム１３０及び印刷回路基板１４０が配置された領域は、表示装置１００のワインディング時にローラ１５１の平面に乗ることができる。
【０１２６】
図９を参照すると、接着部１９０の第３領域Ａ３では、ベースプレート１７０、ボトムカバー１８０及びトップカバーＴＣが締結されることができる。具体的に、ベースプレート１７０の複数の固定突起１７１は、接着部１９０の第３領域Ａ３に配置された固定孔１９１及びボトムカバー１８０の突出部１８１の複数の貫通孔１８３を貫通して接着部１９０とボトムカバー１８０を固定することができる。また、複数の固定突起１７１をトップカバーＴＣで覆うことで、トップカバーＴＣとベースプレート１７０が締結されることができる。この時、トップカバーＴＣの複数の結合孔ＴＨを通じて複数の固定部材ＦＭが挿入され、複数の固定部材ＦＭがベースプレート１７０の複数の固定突起１７１と結合されて、トップカバーＴＣ、接着部１９０、ボトムカバー１８０及びベースプレート１７０が固定され、ボトムカバー１８０とトップカバーＴＣとの間の表示パネル１２０、フレキシブルフィルム１３０及び印刷回路基板１４０も固く固定されることができる。但し、これに制限されず、つまり、ベースプレート１７０とトップカバーＴＣは、両方向締結方式で締結されることもできる。
【０１２７】
一方、複数の固定部材ＦＭは、複数の固定突起１７１と締結され、ベースプレート１７０、バックカバー１１０、ボトムカバー１８０及びトップカバーＴＣを固定することができる。具体的に、複数の固定部材ＦＭは、トップカバーＴＣの複数の結合孔ＴＨを貫通するように配置されることができる。トップカバーＴＣの複数の結合孔ＴＨを貫通した複数の固定部材ＦＭのそれぞれは、ベースプレート１７０の複数の固定突起１７１と締結され、ベースプレート１７０、ボトムカバー１８０、トップカバーＴＣ及びバックカバー１１０が締結されて固定されることができる。ベースプレート１７０とトップカバーＴＣを締結する複数の固定部材ＦＭは、例えば、スクリュー、ボルトなどであることができるが、これに制限されない。
【０１２８】
また、本発明の一実施例による表示装置１００では、バックカバー１１０を第１バックカバー１１０ａ及び第２バックカバー１１０ｂに分離して、表示装置１００のワインディング時にバックカバー１１０に集中する応力を最小化することができる。具体的に、第１バックカバー１１０ａ及び第２バックカバー１１０ｂが一体で形成される場合、即ち、バックカバー１１０が単一層で形成される場合、バックカバー１１０がワインディングされる過程でバックカバー１１０の一部はローラ１５１の平面に乗り、また他の一部はローラ１５１の平面に隣接する曲面に乗る。この時、ローラ１５１の平面と曲面の境界部分は曲率半径が最も小さい部分であるので、ワインディング時に発生する応力によってバックカバー１１０が損傷され得る。従って、バックカバー１１０を一体で形成する場合と比べて、バックカバー１１０を分離して構成する場合、バックカバー１１０がローラ１５１に乗る過程で発生する応力を最小化することができ、これによりバックカバー１１０が損傷されることを最小化することができる。
【０１２９】
また、本発明の一実施例による表示装置１００では、バックカバー１１０を第１バックカバー１１０ａ及び第２バックカバー１１０ｂで構成して、表示装置１００が大型でなる場合も、表示装置１００の大きさに対応するバックカバー１１０が製造されることができる。本発明の一実施例による表示装置１００はローラブル表示装置で、多様な大きさで製造されることができる。但し、ますます大型化された表示装置１００に対する使用者の要求が発生して、現在、ローラブル表示装置も大型化への実現に対する研究が続けられている。但し、表示装置１００、つまり、表示パネル１２０が大型化される場合、バックカバー１１０も大型化されなければならない。しかし、バックカバー１１０を単一層で形成しながら大型で形成することは、製造工程上で限界が存在する。即ち、バックカバー１１０は、金属物質の板にエッチング工程を行って開口部１１１を形成する方式で製造されるが、バックカバー１１０を所定の大きさ以上に形成するために、当該大きさの金属物質の単一板を製造することも容易でなく、エッチング工程を行って開口部１１１を形成することも容易でない。そこで、本発明の一実施例による表示装置１００では、バックカバー１１０が互いに離隔した第１バックカバー１１０ａ及び第２バックカバー１１０ｂを含み、より大型化された表示装置１００の実現が可能である。
【０１３０】
＜貫通孔を含む接着部＞
図１０は、本発明の他の実施例による表示装置の締結構造を説明するための断面図である。図１１は、本発明の他の実施例による表示装置の斜視図である。図１２は、本発明の他の実施例による表示装置の接着層の平面図である。図１３は、本発明の他の実施例による表示装置の斜視図である。図１０〜図１３の表示装置１０００は、図１〜図９の表示装置１００と比べて、ベースプレート１７０とトップカバーＴＣが省略され、バックカバー１０１０、接着部１０９０及びボトムカバー１０８０のみが異なるだけで、他の構成は実質的に同一であるので、重複説明は省略する。
【０１３１】
図１０を参照すると、バックカバー１０１０は、接着部１０９０の第１領域Ａ１に配置される第１バックカバー１１０ａ及び接着部１０９０の第２領域Ａ２に配置される第２バックカバー１０１０ｂを含む。この時、第２バックカバー１０１０ｂは、ローラ１５１の平面に対応する大きさを有し、ローラ１５１の平面に固定されることができる。そこで、第２バックカバー１０１０ｂは、ワインディングまたはアンワインディング工程と関係なく、常にローラ１５１の平面に固定されることができる。従って、複数の結合部材ＣＭがローラ１５１に締結されるための第２締結孔のみを含むだけで、ワインディングが容易に行われるための開口部は含まなくてもよい。
【０１３２】
図１０を参照すると、接着部１０９０は、第１領域Ａ１、第２領域Ａ２及び第３領域Ａ３を含む。
【０１３３】
接着部１０９０の第１領域Ａ１は、第１バックカバー１１０ａ及び表示パネル１２０と重畳し、接着基材１０９０ｂの両面に接着層１０９０ａ、１０９０ｃが配置される領域である。即ち、第１領域Ａ１で接着基材１０９０ｂの一面には、第１接着層１０９０ａが配置されて第１バックカバー１１０ａが接着され、接着基材１０９０ｂの他面には、第２接着層１０９０ｃが配置されて表示パネル１２０が接着されることができる。
【０１３４】
接着部１０９０の第２領域Ａ２は、接着部１０９０がローラ１５１に固定され、接着基材１０９０ｂの両面に接着層１０９０ａ、１０９０ｃが配置される領域である。即ち、第２領域Ａ２で接着基材１０９０ｂの一面には、第１接着層１０９０ａが配置されて第２バックカバー１０１０ｂが接着され、接着基材１０９０ｂの他面には、第２接着層１０９０ｃが配置されてボトムカバー１０８０が接着されることができる。この時、ローラ１５１、第２バックカバー１０１０ｂ、接着部１０９０及びボトムカバー１０８０は、複数の結合部材ＣＭを通じてローラ１５１に固定されることができる。即ち、複数の結合部材ＣＭがボトムカバー１０８０の複数の突出部１０８１の挿入孔１０８３に挿入され、接着部１０９０の貫通孔及び第２バックカバー１０１０ｂの第２締結孔を貫通してローラ１５１に固定されることができる。複数の結合部材ＣＭは、スクリュー、ボルトなどであることができるが、これに制限されない。
【０１３５】
接着部１０９０の第３領域Ａ３は、第１領域Ａ１と第２領域Ａ２との間の領域である。接着部１０９０の第３領域Ａ３には、接着基材１０９０ｂだけが配置される。即ち、第３領域Ａ３には、第１接着層１０９０ａ及び第２接着層１０９０ｃが全て配置されず、接着基材１０９０ｂだけが配置される。第３領域Ａ３中のフレキシブルフィルム１３０及び印刷回路基板１４０が配置された領域は、表示装置１０００のワインディング時にローラ１５１の平面に乗ることができる。また、第３領域Ａ３には、接着層１０９０ａ、１０９０ｃが配置されないので、フレキシブルフィルム１３０及び印刷回路基板１４０は接着部１０９０に固定されないことがある。但し、設計の必要に応じて、接着部１０９０の接着基材１０９０ｂにフレキシブルフィルム１３０及び印刷回路基板１４０を固定するための別途の接着物質が使用されてもよい。
【０１３６】
図１０及び図１１を参照すると、接着部１０９０の第２領域Ａ２にはボトムカバー１０８０が配置される。即ち、ボトムカバー１０８０は、接着部１０９０の第２領域Ａ２に配置されたローラ１５１に対応するように配置され、接着部１０９０の第２接着層１０９０ｃ及び結合部材ＣＭによってローラ１５１に固定されることができる。
【０１３７】
図１１を参照すると、ローラ１５１の平面には、接着部１０９０及びボトムカバー１０８０が配置されることができる。この時、ローラ１５１の平面は、ローラ１５１に固定される接着部１０９０及びボトムカバー１０８０の一面より広いことができる。そこで、ボトムカバー１０８０とローラ１５１がなす断面状は、接着部１０９０及びボトムカバー１０８０が配置される側面に空間が配置される円形状であることができる。但し、ボトムカバー１０８０とローラ１５１が断面上で実質的に円形状をなすことができれば、ローラ１５１に固定されるボトムカバー１０８０の一面の面積及び接着部１０９０の第１接着層１０９０ａの面積とローラ１５１の平面の面積は同一であってもよい。
【０１３８】
図１１を参照すると、ボトムカバー１０８０の複数の突出部１０８１は、曲面状の外周面を有することができる。ボトムカバー１０８０の複数の突出部１０８１の曲面が持つ曲率は、ローラ１５１の曲率と実質的に同一であることができる。具体的に、ボトムカバー１０８０の複数の突出部１０８１は、表示装置１０００がワインディングされる時に、第１バックカバー１１０ａ、接着部１０９０及び表示パネル１２０の巻かれる形状が実質的に円形になるようにガイドすることができる。従って、ボトムカバー１０８０の複数の突出部１０８１は、表示装置１０００がワインディングされる時に、ボトムカバー１０８０及びボトムカバー１０８０に巻かれた第１バックカバー１１０ａ、接着部１０９０及び表示パネル１２０がなす形状が実質的に円形になるようにローラ１５１と実質的に同一の曲率を持つ外周面を有するように形成されることができる。
【０１３９】
図１２及び図１３を参照すると、接着部１０９０は、貫通孔１０９１をさらに含むことができる。接着部１０９０は、ローラ部１５０のワインディング時にボトムカバー１０８０に乗る。但し、ボトムカバー１０８０の複数の突出部１０８１が存在するので、接着部１０９０がそのままボトムカバー１０８０の上面に沿ってワインディングされる場合、接着部１０９０上のフレキシブルフィルム１３０及び印刷回路基板１４０も曲面上に配置される。従って、接着部１０９０にボトムカバー１０８０の複数の突出部１０８１と対応する位置に貫通孔１０９１を配置して、ローラ部１５０のワインディング時にボトムカバー１０８０の複数の突出部１０８１が接着部１０９０の貫通孔１０９１を貫通するようにできる。これにより、接着部１０９０は、ボトムカバー１０８０に安定して乗ると同時に、ボトムカバー１０８０によって固定されることができる。
【０１４０】
図１３を参照すると、接着部１０９０がボトムカバー１０８０に乗る場合、フレキシブルフィルム１３０及び印刷回路基板１４０もボトムカバー１０８０に乗ることができる。具体的に、ローラ部１５０のワインディング時に、接着部１０９０に貫通孔１０９１が複数の突出部１０８１を貫通することによって、ボトムカバー１０８０の複数の突出部１０８１のそれぞれの間に表示パネル１２０と連結されたフレキシブルフィルム１３０が配置され、ボトムカバー１０８０の複数の突出部１０８１を除いた領域にフレキシブルフィルム１３０と連結された印刷回路基板１４０が配置されることができる。そこで、表示装置１０００のワインディング時に、フレキシブルフィルム１３０及び印刷回路基板１４０がボトムカバー１０８０によって安定して乗ることができる。
【０１４１】
また、接着部１０９０をさらに１回ワインディングする場合、接着部１０９０及び表示パネル１２０は、ボトムカバー１０８０の複数の突出部１０８１が曲面状の外周面に沿ってワインディングされることができる。そこで、接着部１０９０及び表示パネル１２０は、断面上で曲面状を持ってワインディングされることができる。
【０１４２】
一般的に、バックカバーは、ローラ部に締結される支持領域及び支持領域から延長する延性領域を含み、ローラの平面の長さより長く形成される。バックカバーがローラの平面の長さより長く形成される場合、バックカバーのワインディング時にバックカバーの一部がローラの平面と曲面の境界部分に乗って、バックカバーに応力が発生し得る。即ち、ローラの平面と曲面の境界部分に乗ったバックカバーが損傷され得る。従って、本発明の他の実施例による表示装置１０００では、第２バックカバー１０１０ｂをローラ１５１の平面に対応する長さで形成して、ローラ１５１の平面と曲面の境界部分に第２バックカバー１０１０ｂが配置されないようにして、第２バックカバー１０１０ｂのワインディング時に、第２バックカバー１０１０ｂに発生する応力を最小化することができる。
【０１４３】
また、本発明の他の実施例による表示装置１０００では、第２バックカバー１０１０ｂがローラ１５１の平面に対応する長さで形成されて、第２バックカバー１０１０ｂのワインディング時に第２バックカバー１０１０ｂに発生する応力を最小化することができる。即ち、相対的に剛性を持つバックカバー１０１０がローラ１５１の平面に対応する部分だけに配置されることで、バックカバー１０１０がローラ１５１にワインディングされる領域の大きさが減少することができ、これにより、バックカバー１０１０、特に、第２バックカバー１０１０ｂに発生する応力が低減されることができる。
【０１４４】
また、本発明の他の実施例による表示装置１０００では、ローラ部１５０のワインディング時に、ボトムカバー１０８０の複数の突出部１０８１に対応する接着部１０９０の位置に貫通孔１０９１を配置して、接着部１０９０及び接着部１０９０に支持されるフレキシブルフィルム１３０及び印刷回路基板１４０がボトムカバー１０８０に安定して乗るようにできる。具体的に、ローラ部１５０のワインディング時に、接着部１０９０はボトムカバー１０８０の上面に沿ってワインディングされる。この時、接着部１０９０上のフレキシブルフィルム１３０及び印刷回路基板１４０も曲面上に配置されるので、表示装置１０００の繰り返したワインディング及びアンワインディングによってフレキシブルフィルム１３０及び印刷回路基板１４０が損傷され得る。従って、接着部１０９０に貫通孔１０９１を配置して、ボトムカバー１０８０の複数の突出部１０８１が貫通孔１０９１を貫通して接着部１０９０がボトムカバー１０８０に乗るようにし、これにより、接着部１０９０上のフレキシブルフィルム１３０及び印刷回路基板１４０がボトムカバー１０８０上に乗るようにできる。即ち、ローラ部１５０のワインディング時に複数の突出部１０８１のそれぞれの間に表示パネル１２０と連結されたフレキシブルフィルム１３０が配置され、複数の突出部１０８１を除いた領域にフレキシブルフィルム１３０と連結された印刷回路基板１４０が配置され、フレキシブルフィルム１３０及び印刷回路基板１４０がボトムカバー１０８０に安定して乗ることができ、これにより、フレキシブルフィルム１３０及び印刷回路基板１４０の流動及び損傷を最小化することができる。
【０１４５】
また、本発明の他の実施例による表示装置１０００では、単一の器具物を利用して表示装置１０００のローリング性を改善する効果がある。即ち、表示装置のワインディング時に、ローラ１５１の平面に乗り、フレキシブルフィルム１３０及び印刷回路基板１４０を固定させるための器具物としてボトムカバー１０８０だけが使用されることができる。そこで、本発明の他の実施例による表示装置１０００では、ボトムカバー１０８０以外の他の器具物を使用しなくて良いため、表示装置１０００の構成が単純化し、製造工程も簡素化され、製造費用が節減される効果がある。
【０１４６】
＜接着部に接着されるローラ部＞
図１４は、本発明のまた他の実施例による表示装置の斜視図である。図１４の表示装置１４００は、図１０〜図１３の表示装置１０００と比べて、結合部材ＣＭが省略され、バックカバー１４１０、接着部１４９０及びボトムカバー１４８０のみが異なるだけで、他の構成は実質的に同一であるので、重複説明は省略する。
【０１４７】
図１４を参照すると、バックカバー１４１０は、単一のバックカバーで構成される。即ち、バックカバー１４１０は、表示パネル１２０と重畳し接着部１４９０の第１領域Ａ１のみに配置され、ローラ１５１には固定されなくてよい。また、バックカバー１４１０は、上述したような複数の開口部１４１１を有することができる。即ち、図１４のバックカバー１４１０は、図１〜図１３の第１バックカバー１１０ａと実質的に同一であり、図１４の複数の開口部１４１１は、図１〜図１３の複数の開口部１１１と実質的に同一であることができる。
図１４を参照すると、ローラ１５１は接着部１４９０に直接接着されることができる。具体的に、ローラ１５１と接着部１４９０との間にはバックカバー１４１０が配置されず、接着部１４９０の第２領域Ａ２に配置された第１接着層１４９０ａに直接接着されることができる。
【０１４８】
また、ボトムカバー１４８０は、接着部１４９０に直接接着されることができる。具体的に、ボトムカバー１４８０は、接着部１４９０の第２領域Ａ２に配置された第２接着層１４９０ｃに直接接着されることができる。
【０１４９】
この時、接着部１４９０の接着層１４９０ａ、１４９０ｃは、別途の結合部材ＣＭがなくてもボトムカバー１４８０及びローラ１５１が固定できる程度に強い接着力を持つことができる。即ち、図１４に示すように、本発明のまた他の実施例による表示装置１４００では、ボトムカバー１４８０に複数の結合部材が挿入されるための挿入孔が配置されず、接着部１４９０の接着基材１４９０ｂ及び接着層１４９０ａ、１４９０ｃにも挿入孔に対応する孔が配置されず、複数の結合部材を使用せず、単に接着部１４９０の接着層１４９０ａ、１４９０ｃだけでローラ１５１とボトムカバー１４８０が固定されることができる。即ち、接着層１４９０ａ、１４９０ｃは強い接着力を持ち、別途の結合部材がなくてもボトムカバー１４８０及びローラ１５１を固く固定することができる。
【０１５０】
本発明のまた他の実施例による表示装置１４００では、ローラ１５１と接着部１４９０が直接接着され、ボトムカバー１４８０と接着部１４９０が直接接着され、接着部１４９０の接着層１４９０ａ、１４９０ｃが強い接着力を持ち、結合部材のようなローラ１５１、接着部１４９０及びボトムカバー１４８０を固定するための別途の部材が不要であることができる。そこで、本発明のまた他の実施例による表示装置１４００では、ローラ１５１、接着部１４９０及びボトムカバー１４８０を固定するための別途の部材を使用しなくて良いため、表示装置１４００の構成が単純化し、製造費用が節減される効果がある。また、ローラ１５１、接着部１４９０及びボトムカバー１４８０を固定するための別途の部材を締結する工程、ローラ１５１、接着部１４９０及びボトムカバー１４８０に別途の部材を締結するための孔を形成する工程などが省略されることができるため、表示装置１４００の製造工程も簡素化することができる。
【０１５１】
本発明の例示的な実施例は、以下のように説明することができる。
前述したような課題を解決するために、本発明の一実施例による表示装置は、33複数の画素が定義された表示パネルと、表示パネルと重畳して配置されたバックカバーと、バックカバー及び表示パネルをワインディング（ｗｉｎｄｉｎｇ）またはアンワインディング（ｕｎｗｉｎｄｉｎｇ）させるように構成されたローラ部と、表示パネルとバックカバーを接着させ、ローラ部に固定される接着部とを含むことができる。
【０１５２】
本発明の他の特徴によると、接着部は、接着基材及び接着基材に配置される接着層を含み、接着部は、接着基材の両面に接着層が配置されてバックカバー及び表示パネルが接着される第１領域と、ローラ部に固定され、接着基材の少なくとも一面に接着層が配置された第２領域と、第１領域と第２領域との間に接着基材からなる第３領域とを含むことができる。
【０１５３】
本発明のまた他の特徴によると、バックカバーは、表示パネルと重畳する第１バックカバー及びローラ部に固定される第２バックカバーを含み、第１バックカバーと第２バックカバーは、接着部によって連結されることができる。
【０１５４】
本発明のまた他の特徴によると、第２バックカバーは、ローラ部と締結される支持領域を含み、接着部の第２領域に接着されることができる。
【０１５５】
本発明のまた他の特徴によると、第２バックカバーは、支持領域から第１バックカバー側に延長する延性領域をさらに含むことができる。
【０１５６】
本発明のまた他の特徴によると、ローラ部は、平面及び曲面を有するローラをさらに含み、第１バックカバーと第２バックカバーとの間の距離は、ローラの平面の長さと同一であるか長いことができる。
【０１５７】
本発明のまた他の特徴によると、表示装置は、第３領域に位置し、複数の固定突起を含むベースプレートと、曲面状の外周面を有し、第３領域に配置されるトップカバーと、ベースプレートとトップカバーとの間に配置されるボトムカバーとをさらに含み、複数の固定突起は、ボトムカバー及びトップカバーを貫通してボトムカバー及びトップカバーを固定することができる。
【０１５８】
本発明のまた他の特徴によると、表示装置は、トップカバーとベースプレートを貫通する固定突起と締結される固定部材をさらに含むことができる。
【０１５９】
本発明のまた他の特徴によると、表示装置は、外周面が曲面状である複数の突出部を含むボトムカバーをさらに含み、第２領域は、接着基材の両面に接着層が配置され、ボトムカバーは、第２領域に接着されることができる。
【０１６０】
本発明のまた他の特徴によると、表示装置は、ボトムカバーをローラ部に固定する複数の結合部材をさらに含み、ボトムカバーは、複数の突出部のそれぞれに挿入孔が配置され、複数の結合部材が挿入孔を貫通してローラ部と締結されることができる。
【０１６１】
本発明のまた他の特徴によると、接着部は、ローラ部のワインディング時にボトムカバーの複数の突出部が貫通する貫通孔をさらに含むことができる。
【０１６２】
本発明のまた他の特徴によると、表示装置は、表示パネルと連結された複数のフレキシブルフィルムと、複数のフレキシブルフィルムと連結された印刷回路基板とをさらに含み、複数のフレキシブルフィルム及び印刷回路基板は、ローラ部のワインディング時にボトムカバー上に乗ることができる。
【０１６３】
本発明のまた他の特徴によると、ローラ部は、第２領域に直接接着されることができる。
【０１６４】
本発明の他の実施例による表示装置は、映像を表示するための表示パネルと、表示パネルの下に配置されたバックカバーと、表示パネルとバックカバーとの間に配置されて表示パネルとバックカバーに付着した接着部と、表示パネルと電気的に連結され、表示パネルがアンワインディング（ｕｎｗｉｎｄｉｎｇ）された状態でバックカバー及び接着部のうち接着部に重畳する印刷回路基板とを含むことができる。
【０１６５】
本発明の他の特徴によると、表示装置は、バックカバー及び表示パネルをワインディング（ｗｉｎｄｉｎｇ）またはアンワインディング（ｕｎｗｉｎｄｉｎｇ）させるように構成されたローラ部をさらに含み、ローラ部は、平面及び曲面を有し、接着部に固定されるローラを含むことができる。
【０１６６】
本発明のまた他の特徴によると、表示装置は、ローラ部に固定されるボトムカバーをさらに含み、ボトムカバーは、外周面が曲面状である複数の突出部及び複数の突出部のそれぞれに配置される挿入孔を含むことができる。
【０１６７】
本発明のまた他の特徴によると、接着部は、ローラ部のワインディング時にボトムカバーの複数の突出部が貫通する貫通孔をさらに含むことができる。
【０１６８】
本発明のまた他の特徴によると、バックカバーは、第１バックカバー及び第２バックカバーを含み、第１バックカバーと第２バックカバーは、接着部によって連結され、接着部の接着層は、第１バックカバー及び第２バックカバーと重畳し、接着部の接着基材は、第１バックカバー及び第２バックカバーと重畳し、第１バックカバーと第２バックカバーとの間にも配置されることができる。
【０１６９】
本発明のまた他の特徴によると、表示装置は、第１バックカバーと第２バックカバーとの間に配置されるベースプレートと、曲面状の外周面を有し、ベースプレートの上側に配置されてベースプレートと締結されるトップカバーと、ベースプレートとトップカバーとの間に配置されるボトムカバーとをさらに含むことができる。
【０１７０】
本発明のまた他の特徴によると、第２バックカバーは、ローラと接着部との間に配置されることができる。
【０１７１】
以上、添付の図面を参照して本発明の実施例をさらに詳しく説明したが、本発明は、必ずしもこのような実施例に限られるものではなく、本発明の技術思想を逸脱しない範囲内で多様に変形実施されることができる。従って、本発明に開示された実施例は、本発明の技術思想を制限するためではなく説明するためのもので、このような実施例によって本発明の技術思想の範囲が制限されるものではない。従って、以上で記述した実施例は全ての面で例示的であり、制限的ではないと理解すべきである。本発明の保護範囲は、下記の請求の範囲によって解釈されなければならず、それと同等な範囲内にある全ての技術思想は、本発明の権利範囲に含まれると解釈されなければならない。
【図１ａ】
2020076986.tif 000003
【図１ｂ】
2020076986.tif 000004
【図２】
2020076986.tif 000005
【図３】
2020076986.tif 000006
【図４】
2020076986.tif 000007
【図５】
2020076986.tif 000008
【図６】
2020076986.tif 000009
【図７】
2020076986.tif 000010
【図８ａ】
2020076986.tif 000011
【図８ｂ】
2020076986.tif 000012
【図９】
2020076986.tif 000013
【図１０】
2020076986.tif 000014
【図１１】
2020076986.tif 000015
【図１２】
2020076986.tif 000016
【図１３】
2020076986.tif 000017
【図１４】
2020076986.tif 000018